(57)【要約】【課題】横葺金属製屋根材の温度変化による伸縮に対応できると共に、嵌挿受片に嵌挿される横葺金属製屋根材のガタツキをも防止できる横葺金属製屋根材の連結具を提供する。【解決手段】横葺金属製屋根材Ｂ１（Ｂ２）が敷設される連結具基板１に、前記横葺金属製屋根材Ｂ１（Ｂ２）の側縁部Ｃが嵌挿される嵌挿受片２を設けて成る連結具において、上記嵌挿受片２には、上記連結具基板１に摺動される摺動片３が一体形成され、これら摺動片３及び嵌挿受片２が、上記横葺金属製屋根材Ｂ１（Ｂ２）の横葺方向に移動可能に形成されていることを特徴とする。【選択図】図１
2005282232.tif 000002
【特許請求の範囲】
【請求項１】
横葺金属製屋根材が敷設される連結具基板に、前記横葺金属製屋根材の側縁部が嵌挿される嵌挿受片を設けて成る連結具において、
上記嵌挿受片には、上記連結具基板に摺動される摺動片が一体形成され、これら摺動片及び嵌挿受片が、上記横葺金属製屋根材の横葺方向に移動可能に形成されていることを特徴とする横葺金属製屋根材の連結具。
【請求項２】
請求項１において、
上記嵌挿受片は、上記連結具基板の中央付近から、隣り合う横葺金属製屋根材の各々に向けて、左右両側に形成されていることを特徴とする横葺金属製屋根材の連結具。
【請求項３】
請求項１又は２の何れかにおいて、
上記摺動片には、上下方向に複数の溝が並設された水切部を形成していることを特徴とする横葺金属製屋根材の連結具。
【発明の詳細な説明】
【技術分野】
【０００１】
本発明は、横葺金属製屋根材を横葺して連結するための連結具に関し、詳しくは、横葺金属製屋根材を嵌挿する嵌挿受片を、この横葺金属製屋根材の伸縮に応じて移動可能に形成して成る連結具に関する。
【背景技術】
【０００２】
従来、隣り合う横葺金属製屋根材を横葺するための連結具（「捨板」）とも呼ばれる。）として、連結具基板に、前記横葺金属製屋根材の側縁部が嵌挿される嵌挿受片を設けて成る連結具は公知である。
【０００３】
すなわち、横葺金属製屋根材は、温度変化によって、個々の膨脹係数に応じて伸縮されるため、横葺に際して、上記連結具の嵌挿受片と、嵌挿される横葺金属製屋根材の側縁部との間には、上記温度変化による伸縮を考慮して、予め隙間を設けて嵌挿される構造にしている（例えば、特許文献１参照。）。
【特許文献１】実公昭５９−１５５２３５号
【発明の開示】
【発明が解決しようとする課題】
【０００４】
しかしながら、従来の連結具は、上記嵌挿受片と横葺金属製屋根材の側縁部と予め隙間をあけて嵌挿される構造にして、温度変化による膨脹係数に対応できるものの、上記隙間を設けて嵌挿されるために、横葺金属製屋根材が、上記嵌挿受片に嵌挿された際にガタツキを生じ易いという問題があった。
【０００５】
本発明は、かかる課題を解決することを目的とするもので、横葺金属製屋根材の温度変化による伸縮に対応できると共に、嵌挿受片に嵌挿される横葺金属製屋根材のガタツキをも防止できる横葺金属製屋根材の連結具を提供する。
【課題を解決するための手段】
【０００６】
上記目的を達成するため、
請求項１に係る横葺金属製屋根材の連結具は、横葺金属製屋根材が敷設される連結具基板に、前記横葺金属製屋根材の側縁部が嵌挿される嵌挿受片を設けて成る連結具において、上記嵌挿受片には、上記連結具基板に摺動される摺動片が一体形成され、これら摺動片及び嵌挿受片が、上記横葺金属製屋根材の横葺方向に移動可能に形成されていることを特徴とする。
【０００７】
このものでは、摺動片及び嵌挿受片が、横葺金属製屋根材の横葺方向に移動可能に形成されているので、横葺金属製屋根材の温度変化による伸縮に対応できると共に、嵌挿受片に嵌挿される横葺金属製屋根材のガタツキをも防止することができる。
【０００８】
請求項２に係る横葺金属製屋根材の連結具は、請求項１において、上記嵌挿受片は、上記連結具基板の中央付近から、隣り合う横葺金属製屋根材の各々に向けて、左右両側に形成されていることを特徴とする。
【０００９】
このものでは、連結具基板の中央付近から嵌挿受片が左右両側に形成されているので、横葺金属製屋根材を嵌挿受片の左、右方向の何れからも嵌挿することができる。
【００１０】
請求項３に係る横葺金属製屋根材の連結具は、請求項１又は２の何れかにおいて、上記摺動片には、上下方向に複数の溝が並設された水切部を形成していることを特徴とする。
【００１１】
このものでは、摺動片に水切部を形成しているため、この摺動片と横葺金属製屋根材との間隙からの水の浸入も防止できる。
【発明の効果】
【００１２】
本発明によれば、次のような効果がある。
【００１３】
請求項１に係る横葺金属製屋根材の連結具によれば、摺動片及び嵌挿受片が、横葺金属製屋根材の横葺方向に移動可能に形成されているので、横葺金属製屋根材の温度変化による伸縮に対応できると共に、嵌挿受片に嵌挿される横葺金属製屋根材のガタツキをも防止することができる。
【００１４】
請求項２に係る横葺金属製屋根材の連結具によれば、連結具基板の中央付近から嵌挿受片が左右両側に形成されているので、請求項１の効果に加え、横葺金属製屋根材を嵌挿受片の左、右方向の何れからも嵌挿することができる。
【００１５】
請求項３に係る横葺金属製屋根材の連結具によれば、摺動片に水切部を形成しているため、請求項１、２の効果に加え、上記摺動片と横葺金属製屋根材との間隙からの水の浸入も防止できる。
【発明を実施するための最良の形態】
【００１６】
以下、本発明に係る横葺金属製屋根材の連結具Ａを図面に基づき説明する。
【実施例１】
【００１７】
図１は、本発明に係る横葺金属製屋根材の連結具Ｒの一実施例を示す概略斜視図であり、図２は、図１のＡ−Ａ’を断面した状態の拡大断面図である。
【００１８】
この連結具Ｒは、横葺金属製屋根材Ｂ１（Ｂ２）が敷設される連結具基板１に、横葺金属製屋根材Ｂの側縁部Ｃが嵌挿される嵌挿受片２が設けられ、この嵌挿受片２には、連結具基板１に摺動される摺動片３が一体形成された構造であるため、これら摺動片３及び嵌挿受片２が、横葺金属製屋根材Ｂ１（Ｂ２）の横葺方向に移動可能である点に特徴がある。
【００１９】
以下、各部材について図１、２に基き詳説する。
【００２０】
横葺金属製屋根材Ｂ１（Ｂ２）は、両側縁部Ｃ、Ｃが平板状に形成された横長の矩形状金属製板であって、上、下端には、折り返して形成された上ハゼ部Ｂ１１（Ｂ２１）、下ハゼ部Ｂ２１（Ｂ２２）を設けている。
【００２１】
連結具Ｒは、連結具基板１と、この連結具基板１上を横葺方向へ摺動して移動可能な摺動片３が一体形成され、且つ、横葺金属屋根材Ｂ１（Ｂ２）の側縁部Ｃが嵌挿される嵌挿受片２とより成る。
【００２２】
連結具基板１は、金属製平板を両側端から間隙ｔをあけて表面側に一旦曲げ、更に、各々の端縁を内側に向けて折り返して形成された受止部１１を両側端に形成している。
【００２３】
また、連結具基板１の上端には、表面側に向けて折り返して形成し、水の浸入を防止する折り返し片１２を形成している。
【００２４】
一方、連結具基板１の下端には、裏面に向けて折り返して形成し、横葺金属製屋根材Ｂ１（Ｂ２）の下ハゼ部Ｂ１２（Ｂ２２）に係止される係止片１３を形成している。
【００２５】
次に、摺動片３は、外側端が連結具基板１の間隙ｔに嵌入可能であって、内側端から間隙ｔ１をあけて表面側に一旦折り返し、更に、各々の端縁を外側に向けて折り返し形成して嵌挿受片２を一体形成している。
【００２６】
なお、本実施例で示した連結具Ｒは、隣り合う横葺金属製屋根材Ｂ１、Ｂ２同士を連結するために使用されるものを例示しているが、例えば、屋根側端に配置される金属製屋根材Ｂ１の側端部分に連結具Ｒを使用する場合には、受止部１１及び嵌挿受片１２を一体形成した摺動片３は、片側にのみ形成すれば良い。
【００２７】
また、本実施例では、摺動片３に、上下方向に亘る溝を複数条並設して水の浸入を阻止するた水切部４を形成している。
【００２８】
そのため、摺動片３の表、裏面から側端に向けて仮に雨水が浸入しようとしても、この水切部４によって、浸入が阻止されて下方に誘導され、摺動片３と横葺金属製屋根材Ｂ１（Ｂ２）との間隙からの雨水の浸入を防止できる。
【００２９】
図３（ａ）〜（ｃ）は、本発明の連結具Ｒを用いて横葺金属製屋根材Ｂ１、Ｂ２を横葺する際の施工例を示す斜視図である。
【００３０】
上述のように構成した本発明の連結具Ｒは、例えば、以下の要領で施工する。
【００３１】
なお、図１、図２と共通する部位には、共通の番号を付し、その説明を省略する。
【００３２】
先ず、横葺された横葺金属製屋根材Ｂ１の一方の側縁部Ｃを、連結具Ｒの一方の嵌挿受片２に嵌挿し、連結具基板１を屋根下地材（不図示）上に載置したうえで、他方の嵌挿受片２に向けて隣り合う他の横葺金属製屋根材Ｂ２の他方の側縁部Ｃを同様に嵌挿して、横葺金属製屋根材Ｂ１、Ｂ２を横葺する〔図３（ａ）、（ｂ）参照〕。
【００３３】
この場合、図３（ａ）で示すように、横葺金属製屋根材Ｂ２の他方の側縁部Ｃを、予め他方の嵌挿受片２に嵌挿して一体化させておき、連結具Ｒの一方の嵌挿受片２を、横葺された横葺金属製屋根材Ｂ１の一方の側縁部Ｃに嵌挿することもできる〔図３（ａ）、（ｂ）参照〕。
【００３４】
次いで、横葺された横葺金属製屋根材Ｂ１、Ｂ２の上ハゼ部Ｂ１１、Ｂ２１を跨ぐと共に、連結具Ｒを覆うようにして、上方に敷設する横葺金属製屋根材Ｂ３の下ハゼ部Ｂ３２を係止する〔図３（ｃ）参照〕。
【００３５】
そして、上記と同じ要領で、横葺金属製屋根材Ｂ１、Ｂ２、Ｂ３…を順次横葺するのである。
【００３６】
図４（ａ）〜（ｃ）は、本発明の連結具Ｒにおける動作状態を示した概略断面図である。
【００３７】
このようにして横葺された横葺金属製屋根材Ｂ１、Ｂ２は、図４（ｂ）に示すように、連結具Ｒに敷設してされている。
【００３８】
ところが、温度変化によって横葺金属製屋根材Ｂ１、Ｂ２は、その膨張係数に応じて伸縮する。
【００３９】
ここで、図４（ａ）は、横葺金属製屋根材Ｂ１、Ｂ２が収縮した場合を示し、図４（ｃ）は、膨張された状態を示している。
【００４０】
すなわち、横葺金属製屋根材Ｂ１、Ｂ２が施工時よりも冷えて収縮すると、これらの横葺金属製屋根材Ｂ１、Ｂ２は、何れも横葺方向の長さが短く変形されるが、その収縮する長さよりも嵌挿受片２の長さを長く形成しているため、横葺金属製屋根材Ｂ１、Ｂ２の側縁部Ｃが嵌挿受片２から離脱することがなく、横葺金属製屋根材の温度変化による収縮に対応できる。
【００４１】
一方、横葺金属製屋根材Ｂ１、Ｂ２が施工時よりも温められて膨張すると、これらの横葺金属製屋根材Ｂ１、Ｂ２は、何れも横葺方向の長さが長く変形される。
【００４２】
しかしながら、膨張する際には、横葺金属製屋根材Ｂ１、Ｂ２の側縁部Ｃが嵌挿受片２を押圧するため、その押圧力（或いは膨張力）に応じて、摺動片３も移動し、従って、横葺金属製屋根材Ｂ１、Ｂ２が撓むことなく、横葺金属製屋根材Ｂ１、Ｂ２の温度変化による膨張に対応できる。
【００４３】
このように、本発明の連結具Ｒによれば、嵌挿受片２に対して横葺金属製屋根材Ｂ１、Ｂ２の側縁部Ｃとを予め隙間をあけて嵌挿されておらず、横葺金属製屋根材Ｂ１、Ｂ２が嵌挿受片２に嵌挿される際のガタツキを確実に防止できる。
【００４４】
また、温度変化によって横葺金属製屋根材Ｂ１、Ｂ２が収縮しても、摺動片３に一体形成された嵌挿受片２によって、その伸縮にも対応することができる。
【産業上の利用可能性】
【００４５】
本発明は、温度変化による伸縮に対応できる、横葺金属製屋根材のガタツキをも防止できる横葺金属製屋根材の連結具として有効に利用することが可能である。
【図面の簡単な説明】
【００４６】
【図１】本発明に係る横葺金属製屋根材の連結具Ｒの一実施例を示す概略斜視図である。
【図２】図１のＡ−Ａ’を断面した状態の拡大断面図である。
【図３】（ａ）〜（ｃ）は、本発明の連結具Ｒを用いて横葺金属製屋根材Ｂ１、Ｂ２を横葺する際の施工例を示す斜視図である。
【図４】（ａ）〜（ｃ）は、本発明の連結具Ｒにおける動作状態を示した概略断面図である。
【符号の説明】
【００４７】
Ｒ      横葺金属製屋根材の連結具
Ｂ１、Ｂ２、Ｂ３  横葺金属製屋根材
Ｃ      側縁部
１      連結具基板
２      嵌挿受片
３      摺動片
４      水切部
【図１】
2005282232.tif 000003
【図２】
2005282232.tif 000004
【図３】
2005282232.tif 000005
【図４】
2005282232.tif 000006